(57)【特許請求の範囲】
【請求項１】
サーバラックに搭載されるコンソールドロワであって、
マウスを収納するマウス収納部と、
前記マウスのマウスケーブルが巻き付けられる巻き付け部及び前記マウスケーブルのコネクタを他のコネクタに差し込むための開口を含むマウスケーブル収納部とを備え、
前記マウスケーブル収納部の下に前記他のコネクタが配置されていることを特徴とするコンソールドロワ。
【請求項２】
前記コンソールドロワは、前記マウスが前記マウス収納部に収納された状態で、前記サーバラック内に収納可能であることを特徴とする請求項１に記載のコンソールドロワ。
【請求項３】
前記マウスケーブル収納部は、前記マウスケーブル収納部の底面から上方に突出すると共に前記開口を有する突出部を備え、
前記突出部の下に前記他のコネクタが配置されていることを特徴とする請求項１又は２に記載のコンソールドロワ。
【請求項４】
前記マウスケーブル収納部は、ベース部と、前記ベース部の一端に開閉可能に連結された上蓋とを備え、
前記ベース部は、前記マウスケーブルが巻き付けられる巻き付け部を有し、
前記巻き付け部は、前記ベース部の底面から起立し、前記マウスケーブルが巻き付けられる胴部と、当該胴部の上端に平板状に形成され、前記胴部に巻き付けられたマウスケーブルの上方向への膨らみを抑える頭部とを備えていることを特徴とする請求項１乃至３のいずれか１項に記載のコンソールドロワ。
【請求項５】
前記上蓋のおもて面は前記マウスの操作台であり、
前記上蓋が閉じられた場合に前記頭部と接触するリブが前記上蓋の裏面に形成されていることを特徴とする請求項４に記載のコンソールドロワ。
【請求項６】
前記ベース部は、前記マウスケーブル収納部の外側に伸びるマウスケーブルの長さを規定するフックを有することを特徴とする請求項４又は５に記載のコンソールドロワ。
【請求項７】
サーバラックに搭載されるコンソールドロワであって、
マウスを収納するマウス収納部と、
前記マウスのマウスケーブルが巻き付けられる巻き付け部を有するベース部と、前記ベース部の一端に開閉可能に連結された上蓋とを含むマウスケーブル収納部とを備え、
前記ベース部は、前記ベース部の底面から上方に突出すると共に前記マウスケーブルのコネクタを他のコネクタに差し込むための開口を有する突出部を備え、
前記突出部の下に前記他のコネクタが配置されていることを特徴とするコンソールドロワ。
【発明の詳細な説明】
【技術分野】
【０００１】
本発明は、コンソールドロワに関する。
【背景技術】
【０００２】
従来より、サーバラックに搭載されるコンソールドロワが知られている（例えば、特許文献１参照）。特許文献１のコンソールドロワは、表示装置、キーボードモジュール及びタッチパッドを備えている。
【先行技術文献】
【特許文献】
【０００３】
【特許文献１】特開２００６−３０２２４５号公報
【発明の概要】
【発明が解決しようとする課題】
【０００４】
特許文献１のコンソールドロワはマウスカーソルを操作するタッチパッドを備えているが、マウスを望むユーザも少なくなかった。また、マウスを予め備えているコンソールドロワも存在するが、マウスが薄型であったり又はマウスの操作範囲が限られており、コンソールドロワに予め設けられたマウスはユーザにとって使いにくい場合があった。
【０００５】
さらに、コンソールドロワの前面にＵＳＢ端子を備え、ユーザの好みのマウスをＵＳＢ端子に後付けできるコンソールドロワも存在するが、コンソールドロワ内に後付けされたマウス及びマウスケーブルを収納する空間がない。このため、ユーザはコンソールドロワをサーバラック内に収納する際に、後付けされたマウスをＵＳＢ端子から取り外してマウスを別途保管する必要があった。
【０００６】
本発明は、後付けされたマウスを収納することができるコンソールドロワを提供することを目的とする。
【課題を解決するための手段】
【０００７】
上記目的を達成するため、明細書に開示されたコンソールドロワは、サーバラックに搭載されるコンソールドロワであって、マウスを収納するマウス収納部と、前記マウスのマウスケーブルが巻き付けられる巻き付け部及び前記マウスケーブルのコネクタを他のコネクタに差し込むための開口を含むマウスケーブル収納部とを備え、前記マウスケーブル収納部の下に前記他のコネクタが配置されていることを特徴とする。
【発明の効果】
【０００８】
本発明のコンソールドロワによれば、後付けされたマウスを収納することができる。
【図面の簡単な説明】
【０００９】
【図１】本実施の形態に係るコンソールドロワの概略構成図である。
【図２】（Ａ）〜（Ｃ）は、図１のコンソールドロワに装着される部材を示す図である。
【図３】（Ａ）は、上側から見たマウスケーブル収納部の斜視図であり、図３（Ｂ）は、下側から見たマウスケーブル収納部の斜視図である。
【図４】表示装置が閉じられた場合のコンソールドロワの斜視図である。
【図５】キーボードユニット、マウスパッド、カバー及びマウスケーブル収納部が搭載されたコンソールドロワを示す斜視図である。
【図６】マウスの収納方法を説明する図である。
【図７】マウスの収納方法を説明する図である。
【図８】マウスの収納方法を説明する図である。
【図９】マウスの使用状態を示す図である。
【発明を実施するための形態】
【００１０】
以下、図面を参照しながら本発明の実施の形態を説明する。
【００１１】
図１は、本実施の形態に係るコンソールドロワの概略構成図である。図２（Ａ）〜（Ｃ）は、図１のコンソールドロワに装着される部材を示す図である。なお、以下では、便宜上、図１のように前後左右方向および上下方向を定義する。
【００１２】
コンソールドロワ１は、サーバラックに搭載される複数のサーバのうち操作対象となるサーバを選択的に切り替えるＫＶＭスイッチ（Ｋ：キーボード、Ｖ：ビデオ、Ｍ：マウス）（不図示）に電気的に接続されている。
【００１３】
図１に示すように、コンソールドロワ１は、底板１１、底板１１上に搭載される基板１２、表示装置１３、及びマウスパッド１４を備えている。底板１１は、底板１１の一部に切り込みを入れて立設され、キーボードユニット２０（図２（Ａ）参照）を固定する固定部１５Ａ，１５Ｂと、底板１１の一部に切り込みを入れて立設された立設部１７とを備えている。各固定部１５Ａ，１５Ｂの中央には孔１６が形成されている。また、底板１１は、右端から鉛直上方に曲げられた右側壁３１と、左端から鉛直上方に曲げられた左側壁３７とを備えている。
【００１４】
図２（Ａ）に示すように、キーボードユニット２０の前方側面には、複数の突起２１及び複数の付勢部２２が形成されている。キーボードユニット２０の後方側面には、複数の突起２１（不図示）が形成されている。キーボードユニット２０の前方側面に設けられた複数の突起２１が固定部１５Ａに形成された孔１６に挿入されると、複数の付勢部２２は複数の立設部１７に当接して、キーボードユニット２０を後方に付勢する。これにより、キーボードユニット２０の後方側面に設けられた複数の突起２１が固定部１５Ｂに形成された孔１６に挿入され、キーボードユニット２０は底板１１上に固定される。
【００１５】
基板１２は、ＫＶＭスイッチの設定等ができるモードにするためのホットキーボタン２３、ＫＶＭスイッチに含まれる複数のポートを選択するための複数のボタン２４、ＵＳＢ（Universal Serial Bus）コネクタ２６，２７、及び専用コネクタ２８を備えている。尚、基板１２は、マイコンや配線を含むが、図１では省略されている。ボタン２４でＫＶＭスイッチに含まれるポートを選択すると、専用コネクタ２８に接続されているケーブルを介してＫＶＭスイッチに選択信号が送信される。また、専用コネクタ２８に接続されているケーブルは不図示の電源に接続されており、基板１２に電力を供給する。基板１２は、ネジ３０で底板１１上にネジ止めされている。
【００１６】
ＵＳＢコネクタ２６，２７は互いに電気的に接続されている。ＵＳＢコネクタ２６には、ＵＳＢケーブル２９のコネクタ２９Ａが接続されている。ＵＳＢケーブル２９は、底板１１の右側壁３１に沿って、キーボードユニット２０の前方に引きまわされている。ＵＳＢケーブル２９のコネクタ２９Ｂは、キーボードユニット２０の前方且つ右側壁３１の近傍の底板１１上にネジ止めされている。底板１１の右側壁３１には、後述するマウスケーブル収納部に形成された突起と係合する孔３２が形成されている。
【００１７】
表示装置１３の左右の下端には、ヒンジ３３が設けられており、図１の矢印Ａ方向に開閉する。表示装置１３の上面１３Ａには、取っ手３４と、ロック機構３５とが形成されている。表示装置１３が閉じた状態では、ロック機構３５の爪３５Ａがマウスパッド１４の凹部１４Ａと係合する。ロック機構３５を押し下げて、爪３５Ａをマウスパッド１４の凹部１４Ａから解除しながら表示装置１３を引き上げることで、表示装置１３は図１のように開いた状態になる。表示装置１３の表示パネル１３Ｃがキーボードユニット２０等と接触することを防止するために、表示装置１３の前面１３Ｂの左右上端には、ゴム脚３６が貼り付けられている。
【００１８】
底板１１の右側壁３１及び左側壁３７は、サーバラックの一対のスライド式レール４０の間にネジ止めされている。サーバラックの左レールカバー４１には、孔４２が形成されている。底板１１の左側壁３７の前端には、ロック機構４３が設けられている。コンソールドロワ１がサーバラック内に収納されている場合には、ロック機構４３の爪４５が左レールカバー４１の孔４２に係合する。この状態で、ロック機構４３のピン４４を左側に押すと、爪４５が孔４２から解除され、コンソールドロワ１を前方に引き出すことができる。
【００１９】
前蓋４６は、ロック機構４３のピン４４を貫通させる孔５３を備え、前蓋４６の前面には、取っ手４７が設けられている。起立時の前蓋４６の左右の下端４８（図１では前蓋４６の左右の後端）は、回転可能に右側壁３１及び左側壁３７にそれぞれ固定されている。起立時の前蓋４６の左右の上端（図１では前蓋４６の左右の前端）は、支持部材５０の一端にネジ４９で固定されている。支持部材５０は、ガイド溝５１を有し、ネジ５２がガイド溝５１を介して右側壁３１及び左側壁３７にそれぞれ固定されている。取っ手４７を下方向に引くと、支持部材５０がガイド溝５１に沿って移動し、前蓋４６は起立状態から前方向に倒れる、つまり、矢印Ｂ方向に回転する。取っ手４７を上方向に押すと、前蓋４６は起立状態に戻る。
【００２０】
また、図１の底板１１には、図２（Ｂ）に示すカバー５５をネジ止めするためのボス５４が形成されている。カバー５５は、キーボードユニット２０を露出する貫通孔５６と、マウスパッド１４を露出する貫通孔５７と、ボス５４にネジ止めされるネジを貫通させるネジ孔５８とを備えている。尚、カバー５５が底板１１にネジ止めされた状態で、キーボードユニット２０は着脱可能である。
【００２１】
さらに、図１の底板１１には、図２（Ｃ）に示すマウスケーブル収納部６０をネジ止めするためのボス５９が形成されている。
【００２２】
図３（Ａ）は、上側から見たマウスケーブル収納部６０の斜視図であり、図３（Ｂ）は、下側から見たマウスケーブル収納部６０の斜視図である。マウスケーブル収納部６０は、概ね箱状に形成されており、ベース部６１と上蓋７５とを備えている。ベース部６１の底面６２Ａには、マウスケーブルが巻き付けられる複数の巻き付け部６３が形成されている。巻き付け部６３は、ベース部６１の底面６２Ａから起立し、マウスケーブルが巻き付けられる胴部６３Ａと、胴部６３Ａの上端に平板状に形成され、胴部６３Ａに巻き付けられたマウスケーブルの上方向への膨らみを抑える頭部６３Ｂとを備えている。本実施の形態では、ベース部６１は３つの巻き付け部６３を備えているが、巻き付け部６３の個数は３つに限定されるものではない。巻き付け部６３の個数は２つでもよい又は４つ以上でもよい。また、巻き付け部６３の形状も図３（Ａ）及び図３（Ｂ）の例に限定されるものではない。
【００２３】
ベース部６１は、底面６２ＡからΓ形状に延設され、マウスケーブル収納部６０の外側に伸びるマウスケーブルを固定して長さを規定するフック６４を有する。ベース部６１の底面６２Ａの左端には、ボス５９（図１参照）にネジ止めされるネジを貫通させるネジ孔６５が形成されている。ベース部６１の右側面６２Ｂには、底板１１の右側壁３１に設けられた孔３２と係合する突起６６（図３（Ｂ）参照）が形成されている。突起６６を底板１１の右側壁３１に設けられた孔３２と係合し、ベース部６１の底面６２Ａをネジ孔６５を介してボス５９にネジ止めすることで、マウスケーブル収納部６０は、底板１１に固定される。
【００２４】
また、ベース部６１の右側後端には、ベース部６１の底面６２Ａから上方に突出する突出部６７が形成されている。図３（Ｂ）に示すように、突出部６７の下には、空間が形成されている。マウスケーブル収納部６０が底板１１に取り付けられた場合には、突出部６７の下の空間に、底板１１に固定されたＵＳＢケーブル２９のコネクタ２９Ｂが配置される。また、突出部６７及び底面６２Ａの一部には、マウスケーブルのコネクタをＵＳＢケーブル２９のコネクタ２９Ｂに差し込むための開口６８が形成されている。
【００２５】
図３（Ａ）の上蓋７５の左右下端（つまり、図２（Ｃ）の上蓋７５の左右後端）には、ベース部６１の突出部６７及び左側壁６９に形成された孔（不図示）に挿入される回転軸７４（図３（Ｂ）参照）が形成されている。回転軸７４がベース部６１の突出部６７及び左側壁６９に形成された孔（不図示）に挿入されることで、上蓋７５はベース部６１に連結され、図３（Ａ）の矢印Ｃ方向に開閉できる。
【００２６】
図３（Ａ）の上蓋７５の左側面の上部（つまり、図２（Ｃ）の上蓋７５の左側面の前側）には、上蓋７５を持ち上げるための取っ手７６が形成されている。また、図３（Ａ）の上蓋７５の右側面の上部（つまり、図２（Ｃ）の上蓋７５の右側面の前側）には、マウスケーブルをマウスケーブル収納部６０から外側へ貫通させる溝７７が形成されている。また、開口６８と対向する上蓋７５の部分７９は、マウスケーブルのコネクタと接触しないように肉厚が薄くなっている。
【００２７】
図２（Ｃ）に示すように、上蓋７５は、マウスケーブルの収納空間を増やすために、ベース部６１から高さ方向（つまり上方向）に約２ｍｍ突出しており、上蓋７５の上面８０（つまりおもて面）は平坦であり、後付けされたマウス（以下単にマウスという）の操作台となる。図３（Ａ）の上蓋７５の裏面には、巻き付け部６３の頭部６３Ｂと対向するように突出する複数のリブ７８が形成されている。上蓋７５が閉じられたときに、リブ７８は巻き付け部６３の頭部６３Ｂと接触し、上蓋７５を支持する。これにより、上蓋７５の上面８０でマウスが操作される場合でも、上蓋７５がたわむことを回避できる。
【００２８】
突出部６７の上面には、表示装置１３が閉じられたときに、表示装置１３の前面１３Ｂの右上端に貼り付けられたゴム脚３６と接触する凹部７０が形成されている。図４に示すように、表示装置１３が閉じられた場合には、表示装置１３の前面１３Ｂの左右上端に貼り付けられたゴム脚３６が凹部７０及びカバー５５の上面に接触し、表示装置１３の表示パネル１３Ｃがマウスケーブル収納部６０（つまり上蓋７５の上面８０）、キーボードユニット２０及びマウスパッド１４に接触しないように構成されている。
【００２９】
図５は、キーボードユニット２０、マウスパッド１４、カバー５５及びマウスケーブル収納部６０が搭載されたコンソールドロワ１を示す斜視図である。
【００３０】
図５に示すように、マウスパッド１４の前側且つマウスケーブル収納部６０の左側には、マウスを収納するマウス収納部９０が形成されている。マウス収納部９０に収納されるマウスの高さは、４ｃｍ以下であることが好ましい。これは、底板１１及びマウスの高さの合計が１Ｕサーバの高さ（約４．５ｃｍ）を超えるとマウスを収納できないからである。底板１１の前後方向の長さを変更することでマウス収納部９０の前後方向の長さを変更することができる。また、コンソールドロワ１の左右方向の幅を変更すること又はマウスケーブル収納部６０の左右方向の幅を変更することでマウス収納部９０の左右方向の長さを変更することができる。
【００３１】
図６〜図８は、マウスの収納方法を説明する図である。図９は、マウスの使用状態を示す図である。
【００３２】
まず、図６に示すように、マウスケーブル収納部６０の上蓋７５を開け、マウス１００をマウス収納部９０に載置し、マウスケーブル収納部６０の外側に伸びるマウスケーブル１０１の長さＬを確保し、マウスケーブル１０１をフック６４に引っ掛ける。
【００３３】
次いで、図７に示すように、残りのマウスケーブル１０１（長さＬのマウスケーブル１０１以外の部分）を巻き付け部６３に巻き付け、マウスケーブル１０１の一端に接続されたＵＳＢコネクタ１０２をコネクタ２９Ｂに差し込む。尚、巻き付け部６３が３つあるので、残りのマウスケーブル１０１の長さを考慮して、残りのマウスケーブル１０１を巻きつける巻き付け部６３を３つの巻き付け部６３から適宜選択する、つまり残りのマウスケーブル１０１が弛まないように巻き付け位置を調整する。
【００３４】
その後、図８に示すように、長さＬのマウスケーブル１０１を溝７７からマウスケーブル収納部６０の外側に出して、マウスケーブル収納部６０の上蓋７５を閉じる。以上により、マウス１００はマウス収納部９０に収納され、残りのマウスケーブル１０１はマウスケーブル収納部６０に収納される。
【００３５】
ユーザがマウス１００を使用する場合には、図９に示すように、ユーザはマウス１００を上蓋７５の上面８０上に移動して、上蓋７５の上面８０上で操作することができる。マウス１００の使用後には、ユーザはマウス１００をマウス収納部９０に戻す。
【００３６】
以上説明したように、本実施の形態によれば、コンソールドロワ１は、マウス１００を収納するマウス収納部９０と、マウス１００のマウスケーブルが巻き付けられる巻き付け部６３を含むマウスケーブル収納部６０とを備えている。よって、後付けされたマウスを収納することができる。
【００３７】
本実施の形態では、マウス１００としてＵＳＢコネクタを有するマウスが使用されているが、マウス１００としてＰＳ／２コネクタを有するマウスが使用されてもよい。この場合、コネクタ２９ＢとしてＰＳ／２コネクタが使用される。
【００３８】
尚、本発明は、上述した実施の形態に限定されるものではなく、その要旨を逸脱しない範囲内で種々変形して実施することが可能である。
【符号の説明】
【００３９】
１  コンソールドロワ
１１  底板
１２  基板
１３  表示装置
１４  マウスパッド
２０  キーボードユニット
６０  マウスケーブル収納部
６１  ベース部
６３  巻き付け部
６３Ａ  胴部
６３Ｂ  頭部
７５  上蓋
９０  マウス収納部
【図１】
0006585470.tif 000002
【図２】
0006585470.tif 000003
【図３】
0006585470.tif 000004
【図４】
0006585470.tif 000005
【図５】
0006585470.tif 000006
【図６】
0006585470.tif 000007
【図７】
0006585470.tif 000008
【図８】
0006585470.tif 000009
【図９】
0006585470.tif 000010